(57)【特許請求の範囲】
【請求項１】
ポリフェノール、精油及び親水性高分子化合物を含有し、
ポリフェノール、精油及び親水性高分子化合物の含有量が、それぞれ、消臭剤組成物全重量の０．５〜７０重量％、０．１〜５０重量％及び０．５〜７０重量％であるストーマ装具用消臭剤組成物。
【請求項２】
前記精油は、ペパーミント油、ミント油、スペアミント油、ハッカ油、ラベンダー油、グレープフルーツ油、オレンジ油、ティーツリー油、ローズマリー油、レモン油、ゆず油、ライム油、レモングラス油、タイム油、ベルガモット油、ネロリ油、ユーカリ油、チョウジ油、ケイヒ油、カミツレ油、及びヒノキ油のうちの１種又は２種以上である請求項１に記載のストーマ装具用消臭剤組成物。
【請求項３】
生理食塩水への溶解後の粘度が７００ｍＰａ・ｓ以下である請求項１又は２に記載のストーマ装具用消臭剤組成物。
【請求項４】
生理食塩水への溶解後の拡散面積が７．０ｃｍ２以上である請求項１〜３のいずれかに記載のストーマ装具用消臭剤組成物。
【請求項５】
精油が親水性高分子化合物によりマイクロカプセル化されているものである請求項１〜４のいずれかに記載のストーマ装具用消臭剤組成物。
【請求項６】
粉体状であって、粒径１５〜１，０００μｍの粉体の含有量が８０頻度％以上である請求項１〜５のいずれかに記載のストーマ装具用消臭剤組成物。
【請求項７】
請求項１〜６のいずれかに記載のストーマ装具用消臭剤組成物を収納してなる、排泄物等を収容するための袋を備えたストーマ装具。
【発明の詳細な説明】
【技術分野】
【０００１】
本発明は、人体からの排泄物、排泄液、ガス、滲出液、分泌液等（本発明では、これらを総称して「排泄物等」という。）を処理するために使用される、即効性のあるストーマ装具用の消臭剤組成物及びこの消臭剤組成物を収納してなるストーマ装具に関する。
【背景技術】
【０００２】
消化器系又は泌尿器系器官の疾患がある場合や、便や尿の排泄を自らの意志により制御できない場合に、外科的手術を行い消化管や尿路を体表まで導き体表面にストーマを造設した人は、ストーマからの排泄物等を一時的に貯留できるストーマ装具をストーマの周囲に装着する。
通常、これらのストーマ装具は、排泄物等を収集する袋と袋を体表面に固定する面板とから構成され、袋は、防臭性の材料（例えばポリ塩化ビニリデン等）で外界に対し密封状態に形成される。従って、たとえ排泄物等が袋内に収容されているような状態にあっても臭気が漏れることはない。しかしながら、袋を再利用又は廃棄するために袋から排泄物等を取り出す際には、排泄物等から強い臭気が発生するので、このような排出操作に不快感をもつ装着者は少なくない。
また、おむつ、尿パッド、生理用ナプキン、医療用吸収パッド等の排泄物等処理用品においても、これら用品を装着している間は、排泄物等の臭いが漏れることはさほどないが、用品を適用部位から取り外した途端に臭気が拡散するという問題があった。
【０００３】
こうしたことから、排泄物等の臭気を除去するために、様々な消臭剤や消臭方法が提案されている。
特許文献１には、亜炭及びゼオライトを主成分とし、これにポリアクリルアミド系高分子化合物又はシリカゲルを添加して、これらを粉末形成してなる排泄物脱臭吸水剤が開示されている。
特許文献２には、有機化合物と粘土との混合物を真空中で加熱して炭化させて得られる多孔質の炭化物と多孔質のセラミックスとの複合物であるストーマ用消臭剤が開示されている。
これらの消臭剤は、悪臭成分との十分な接触時間がある場合には良好な消臭効果を発揮する。
ところが、ストーマ装具の状態や排泄物等の貯留の状況等によっては、装具の交換や排泄物等廃棄の間隔が短時間となる場合もある。
このような場合に従来のストーマ用消臭剤を使用しても、これらの消臭剤は即効性に劣っているので、ストーマ装具交換時には臭気が未だ残っており、上記臭気の問題を解決することができない。
従って、消臭の即効性に優れたストーマ装具用消臭剤が求められている。
また、排泄物等の処理に時間を要すると、臭気等による不快感を受けやすくなるので、排泄物等の短時間での処理を可能にするストーマ装具用消臭剤が求められている。
【０００４】
【特許文献１】特開２００１−２７６１０６号公報
【特許文献２】特開２００４−２３００５１号公報
【発明の開示】
【発明が解決しようとする課題】
【０００５】
従って、本発明の目的は、ストーマ装具中の排泄物等の臭いに対して即効性があり、また、排泄物等の短時間での処理が可能になるストーマ装具用消臭剤組成物を提供することにある。
また、本発明の他の目的は、排泄物等を収容するための袋を備えたストーマ装具であって、袋内に上記のストーマ装具用消臭剤組成物を収納してなるストーマ装具を提供することにある。
【課題を解決するための手段】
【０００６】
本発明者らは、前記目的を達成すべく、消臭剤組成物の構成成分やその形状等について鋭意研究を重ねた結果、特定の消臭成分を用い、更にその形状を特定のものとすれば、ストーマ装具中の排泄物等の臭いに対して即効性があり、また、排泄物等の短時間での処理が可能になることを見出し、この知見に基づいて本発明を完成するに至った。
かくして、本発明によれば、ポリフェノールを含有することを特徴とするストーマ装具用消臭剤組成物が提供される。
本発明のストーマ装具用消臭剤組成物は、精油及び／又は親水性高分子化合物を含有することが好ましい。
また、本発明のストーマ装具用消臭剤組成物において、ポリフェノール、精油及び親水性高分子化合物の含有量が、それぞれ、消臭剤組成物全重量の０．５〜７０重量％、０．１〜５０重量％及び０．５〜７０重量％であることが好ましい。
本発明のストーマ装具用消臭剤組成物は、０．０５以上のＤＰＰＨ単位を有することが好ましい。
【０００７】
上記本発明のストーマ装具用消臭剤組成物において、生理食塩水への溶解度が３０％以上であることが好ましい。
また、本発明のストーマ装具用消臭剤組成物は、生理食塩水への溶解後の粘度が７００ｍＰａ・ｓ以下であることが好ましい。
また、本発明のストーマ装具用消臭剤組成物は、生理食塩水への溶解後の拡散面積が７．０ｃｍ２以上であることが好ましい。
【０００８】
上記本発明のストーマ装具用消臭剤組成物において、精油が親水性高分子化合物によりマイクロカプセル化されているものであることが好ましい。
【０００９】
本発明のストーマ装具用消臭剤組成物は、粉体状であることができる。
上記粉体状の本発明のストーマ装具用消臭剤組成物は、フィルムへの付着率が１０〜８０％であることが好ましい。
上記粉体状の本発明のストーマ装具用消臭剤組成物において、粒径１５〜１，０００μｍの粉体の含有量が８０頻度％以上であることが好ましく、粒径１５〜５００μｍの粉体の含有量が７０頻度％以上であることがより好ましい。
本発明によれば、ポリフェノール、精油及び親水性高分子化合物の含有量が、それぞれ、消臭剤組成物全重量の１〜５０重量％、０．１〜３０重量％及び５〜６０重量％であり、フィルムへの付着率が１０〜８０％であり、且つ、粒径１５〜１，０００μｍの粉体の含有量が８０頻度％以上であるか、粒径１５〜５００μｍの粉体の含有量が７０頻度％以上である、粉体状のストーマ装具用消臭剤組成物が提供される。
【００１０】
更に、本発明によれば、上記本発明のストーマ装具用消臭剤組成物を収納してなる、排泄物等を収容するための袋を備えたストーマ装具が提供される。
【発明の効果】
【００１１】
本発明のストーマ装具用消臭剤組成物を使用することにより、排泄物等の悪臭を短時間で消臭することができ、ストーマ装具の交換頻度が高くても、排泄物等廃棄時の臭気の問題を生じることがない。
また、本発明のストーマ装具用消臭剤組成物を使用することにより、ストーマ装具からの排泄物等の取り出しが短時間で済むので、排泄物等の悪臭成分の拡散が低減され、排泄物等排出操作に伴う不快感も軽減される。
更に、本発明のストーマ装具用消臭剤組成物は、上記ストーマ装具用に限らず、おむつ、尿パッド、生理用ナプキン、医療用吸収パッド等の比較的長時間に亘って人体に装着されるその他の排泄物等処理用品用としても有効に使用することができる。
【発明を実施するための最良の形態】
【００１２】
本発明のストーマ装具用消臭剤組成物（以下、単に「消臭剤組成物」ということがある。）は、ポリフェノールを含有することを特徴とする。
発明で使用されるポリフェノールとは、同一ベンゼン環にヒドロキシ基の数を２個以上有する多価の芳香族ヒドロキシ化合物及びその誘導体の総称である。
【００１３】
ポリフェノールの具体例としては、カテコール、４−メチルカテコール、５−メチルカテコール、レゾルシノール、２−メチルレゾルシノール、５−メチルレゾシノール、ハイドロキノン等のジフェノール類；４，４’−ビフェニルジオール、３，４’−ビフェニルジオール等のビフェニルジオール類；カテキン、エピカテキン、エピガロカテキン、エピカテキンガレート等のカテキン類；ドーパ、ドーパミン、クロロゲン酸、コーヒー酸、パラクマル酸、チロシン等のカテコール誘導体を挙げることができる。
中でも、植物から抽出等した植物由来のポリフェノール（以下、「植物ポリフェノール」という。）が好ましい。植物ポリフェノールは、その化学的作用によって即効性のある消臭効果を発揮し、更にその抗菌作用によっても消臭効果が持続する。
植物ポリフェノールとしては、例えば、コーヒー、リンゴ、ぶどう、茶類（緑茶、焙じ茶、紅茶、ウーロン茶、マテ茶等）、柿、大豆、カカオ、ローズマリー、アロエ等の由来のものが挙げられ、中でも、コーヒー、リンゴ、ぶどう、茶類（緑茶、焙じ茶、紅茶、ウーロン茶、マテ茶等）の抽出物が好ましい。
【００１４】
本発明において、ポリフェノールは、消臭剤組成物中に０.５重量％以上含有されていることが好ましく、０．５〜７０重量％の範囲で含有されていることがより好ましく、１〜５０重量％含有されていることが特に好ましい。０．５重量％より少ないと、十分な消臭効果が発揮されない可能性がある。
【００１５】
本発明のストーマ装具用消臭剤組成物は、ＤＰＰＨ（１，１-ジフェニル−２-ピクリルヒドラジル）ラジカル消去能試験において、０．０５以上のＤＰＰＨ単位を有するものであることが好ましく、０．１以上のＤＰＰＨ単位を有するものであることが、より好ましい。ＤＰＰＨ単位は、抗酸化能の指標であり、ＤＰＰＨ単位がこの範囲にあるとき、高い消臭効果を得ることができる。
本発明のストーマ装具用消臭剤組成物は、ポリフェノールを含有し、０．０５以上のＤＰＰＨ単位を有するものであることがより好ましい。
【００１６】
本発明のストーマ装具用消臭剤組成物は、生理食塩水への溶解度が３０％以上であることが好ましい。
生理食塩水への溶解度が３０％以上であることにより、排泄物等に接触した消臭剤組成物が速やかに溶解し拡散するので、消臭効果が速やかに発揮される。生理食塩水への溶解度は、４５％以上であることが好ましい。
【００１７】
本発明のストーマ装具用消臭剤組成物は、これを生理食塩水中に溶解して得られる濃度０．２ｇ／ｍｌの生理食塩水溶液の粘度が、７００ｍＰａ・ｓ以下であることが好ましく、３００ｍＰａ・ｓ以下であることが更に好ましい。下限は３ｍＰａ・ｓ程度である。この粘度が７００ｍＰａ・ｓより高いと、排泄物等の水分を吸収した後に消臭剤組成物の流動性がなくなるため、排泄物等を包み込むように広がっていくことができず、消臭機能が低下し、また、べたつきを生じて排泄物等の排出時に滑り性がなくなり、更に排泄物等の取出し時間が長くなることにより不快感が増大する恐れがある。
本発明のストーマ装具用消臭剤組成物の生理食塩水溶液の粘度は、親水性高分子化合物等の添加成分の種類や量で調整することができる。
【００１８】
本発明のストーマ装具用消臭剤組成物は、上記濃度０．２ｇ／ｍｌの生理食塩水溶液の２ミリリットルの拡散面積が７．０ｃｍ２以上の範囲のものが好ましく、１０．０ｃｍ２以上の範囲のものが更に好ましい。拡散面積が７．０ｃｍ２以上であると、排泄物等の水分を吸収した後に消臭剤組成物が拡散し、排泄物等を包み込むように広がっていく。その結果、消臭機能が向上し、排泄物等のべたつきを減じて排泄物等の排出時に滑り性がよくなり、排泄物等の取出し時間が短くなることにより不快感を軽減することができる。
【００１９】
本発明のストーマ装具用消臭剤組成物は、消臭成分として、ポリフェノールに加えて、精油及び／又は親水性高分子化合物を含有することが好ましい。
本発明のストーマ装具用消臭剤組成物が精油を含有するとき、精油の香気によって悪臭成分がマスキングされるので、より一層、消臭効果が高められる。また、精油の中には、抗菌作用を有するものも多く、その抗菌作用によっても消臭効果が得られる。更に、精油は、排泄物等とストーマ装具の袋内表面との間で潤滑作用を発揮し、排泄物等の袋内表面からの除去を容易にするので、排泄物等排出操作に伴う不快感を軽減することができる。
【００２０】
精油としては、例えば、ペパーミント油、ミント油、スペアミント油、ハッカ油、ラベンダー油、グレープフルーツ油、オレンジ油、ティーツリー油、ローズマリー油、レモン油、ゆず油、ライム油、レモングラス油、タイム油、ベルガモット油、ネロリ油、ユーカリ油、チョウジ油、ケイヒ油、カミツレ油、ヒノキ油等を使用することができる。
これらの油は、１種類を単独で用いてもよく、２種類以上を併用してもよい。
また、消臭剤組成物中の精油の含有量は、消臭剤組成物の全重量に対して、０．１〜５０％であることが好ましく、０．１〜３０％であることが更に好ましい。精油の含有量が０．１％より少ないと、上記機能が十分に発揮されない可能性がある。他方、５０％よりも多いと、臭気が過剰となり、不快感を与える可能性がある。
【００２１】
本発明のストーマ装具用消臭剤組成物において、潤滑作用を高めるために、精油に代えて又は精油とともに、植物油、鉱油、動物油、合成油等の精油以外の油を使用してもよい。
植物油の例としては、オリーブ油、オリーブスクワラン、マカデミアナッツ油、ホホバ油、ひまし油、やし油、パーム油、サフラワー油、ひまわり油、硬化やし油、硬化パーム油等を挙げることができる。
鉱油の例としては、流動パラフィン、流動イソパラフィン、ナフテン油等を挙げることができる。
動物油の例としては、ラノリン、タートル油、ミツロウ、スクワレン、プリスタン等を挙げることができる。
合成油としては、例えば、グリセリントリ−２−エチルヘキサノエート等の脂肪酸トリグリセライド；ポリメチルフェニルシロキサン、ポリジメチルシロキサン、アミノシリコン等のシリコーンオイル；ミリスチン酸イソプロピル、ミリスチン酸オクチルドデシル、イソノナン酸イソノニル、パルミチン酸イソプロピル、パルミチン酸エチルヘキシル等のエステル類；等を挙げることができる。
【００２２】
本発明のストーマ装具用消臭剤組成物が親水性高分子化合物を含有するとき、親水性高分子化合物が排泄物等中の水分を吸収保持するので、排泄物等を被覆して排泄物等中の悪臭成分が蒸散するのを防ぎ、また、悪臭成分を吸着するので消臭効果を持続させることができる。
親水性高分子化合物としては、天然、半合成又は合成の親水性高分子化合物を使用できる。
【００２３】
天然親水性高分子化合物の具体例としては、アラビアガム、トラガカントガム、ガラクタン、グアガム、キャロブガム、カラヤガム、カラギーナン、ペクチン、カンテン、デンプン（例えば、コメ、トウモロコシ、バレイショ、コムギ）等の植物系高分子；キサンタンガム、デキストリン、デキストラン、サクシノグルカン、プルラン等の微生物系高分子；コラーゲン、カゼイン、アルブミン、ゼラチン等の動物系高分子；等が挙げられる。
【００２４】
半合成親水性高分子化合物の具体例としては、デンプン系高分子（例えば、カルボキシメチルデンプン、メチルヒドロキシプロピルデンプン等）；セルロース系高分子（例えば、メチルセルロース、エチルセルロース、メチルヒドロキシプロピルセルロース、ヒドロキシエチルセルロース、セルロース硫酸ナトリウム、ヒドロキシプロピルセルロース、カルボキシメチルセルロース、カルボキシメチルセルロースナトリウム等）；アルギン酸系高分子（例えば、アルギン酸ナトリウム、アルギン酸プロピレングリコールエステル等）等が挙げられる。
【００２５】
合成親水性高分子化合物の具体例としては、ビニル系高分子（例えば、ポリビニルアルコール、ポリビニルメチルエーテル、ポリビニルピロリドン、カルボキシビニルポリマー等）；ポリオキシエチレン系高分子（例えば、ポリエチレングリコール、ポリオキシエチレン・ポリオキシプロピレン共重合体等）；アクリル系高分子（例えば、ポリアクリル酸ナトリウム、ポリアクリルアミド等）；ポリエチレンイミン；等が挙げられる。
【００２６】
親水性高分子化合物は、水溶性のものでも非水溶性のものでもよい。
非水溶性の親水性高分子化合物としては、水溶性親水性高分子化合物を架橋等によって非水溶性化したものが使用できる。その具体例としては、架橋カルボキシメチルセルロース、デンプン−アクリルニトリルグラフト共重合体、スターチグリコール酸ナトリウム、架橋デキストラン、架橋ポリビニルピロリドン等が挙げられる。
【００２７】
親水性高分子化合物の含有量は、０．５〜７０重量％であることが好ましく、５〜６０重量％であることが更に好ましい。親水性高分子化合物の含有量が０．５重量％より少ないと、消臭効果が十分に発揮されない可能性がある。他方、７０重量％よりも多いと、水分を吸収した親水性高分子化合物がべたつきを生じ、排泄物等の取り出しが困難になる場合がある。
【００２８】
本発明のストーマ装具用消臭剤組成物において、上記精油及び親水性高分子化合物を併用することが好ましい。精油及び親水性高分子化合物を併用する場合には、精油及び親水性高分子化合物の量は、それぞれ、消臭剤組成物全重量の０．１〜５０重量％及び０．５〜７０重量％であることが好ましく、それぞれ、０．１〜３０重量％及び５〜６０重量％であることが更に好ましい。精油及び親水性高分子化合物のバランスにより、消臭の持続性が発揮され、更に排泄物等に滑り性が付与されるため排出操作が簡便となる。
【００２９】
本発明のストーマ装具用消臭剤組成物において、上記精油及び親水性高分子化合物を併用するに当っては、親水性高分子化合物を、精油の固体化のために使用することが好ましく、特に、親水性高分子化合物により精油をマイクロカプセル化することが好ましい。
精油をマイクロカプセル化することにより、排出される排泄物等の量の程度に応じて親水性高分子が溶解し、精油を徐々に放出させることができるので、消臭能力を効率的かつ持続的に発揮させることが可能となる。
また、排泄物等をストーマ装具のパウチから排出する際には、マイクロカプセルとパウチ表面との摩擦でマイクロカプセルが破壊され、精油の芳香が発散されるので、排出作業時にも優れた消臭効果を発揮する。
【００３０】
本発明のストーマ装具用消臭剤組成物において、ポリフェノール、精油及び親水性高分子化合物の含有量が、それぞれ、消臭剤組成物全重量の１〜５０重量％、０．１〜３０％及び５〜６０重量％であり、ＤＰＰＨ単位が０．０５以上であることが好ましい。
また、本発明のストーマ装具用消臭剤組成物において、ポリフェノール、精油、及び親水性高分子化合物の含有量が、それぞれ、消臭剤組成物全重量の１〜５０重量％、０．１〜３０％及び５〜６０重量％であり、ＤＰＰＨ単位が０．０５以上であり、生理食塩水への溶解後の粘度が７００ｍＰａ・ｓ以下であることが好ましい。
【００３１】
本発明のストーマ装具用消臭剤組成物は、上記ポリフェノール、精油及び親水性高分子化合物以外の成分を含有してもよい。
これらの任意成分としては、界面活性剤、粉体、ｐＨ調整剤、着色剤、ポリフェノール以外の消臭性化合物、等を示すことができる。
【００３２】
界面活性剤は、非イオン界面活性剤、アニオン界面活性剤、カチオン界面活性剤及び両性界面活性剤のいずれでもよい。
非イオン界面活性剤の具体例としては、ポリオキシエチレンアルキルエーテル、ポリオキシエチレン２級アルコールエーテル、ポリオキシエチレンラノリン誘導体、ポリオキシエチレンポリオキシプロピレンブロックポリマー等のエーテル型；ポリオキシエチレングリセリン脂肪酸エステル、ポリオキシエチレンソルビタン脂肪酸エステル、ポリオキシエチレンソルビトール脂肪酸エステル等のエーテルエステル型；ポリエチレングリコール脂肪酸エステル、ポリグリセリン脂肪酸エステル、ソルビタン脂肪酸エステル、プロピレングリコール脂肪酸エステル、ショ糖脂肪酸エステル等のエステル型；脂肪酸アルカノールアミド、ポリオキシエチレン脂肪酸アミド、ポリオキシエチレンアルキルアミン等の含窒素型；等を挙げることができる。
【００３３】
アニオン界面活性剤の具体例としては、脂肪酸石鹸、アルキルエーテルカルボン酸塩等のカルボン酸塩；アルキルベンゼンスルホン酸塩、ジアルキルスルホコハク酸エステル塩、α−オレフィンスルホン酸塩等のスルホン酸塩；高級アルコール硫酸エステル塩、第２級高級アルコール硫酸エステル塩、アルキルエーテル硫酸塩、ポリオキシエチレンアルキルフェニルエーテル硫酸塩等の硫酸エステル塩；アルキルエーテルリン酸エステル塩、アルキルリン酸エステル塩等のリン酸エステル塩；等を挙げることができる。
カチオン界面活性剤の具体例としては、脂肪族アミン塩、脂肪族４級アンモニウム塩、ベンザルコニウム塩；等を挙げることができる。
両性界面活性剤の具体例としては、カルボキシベタイン型、アミノカルボン酸塩、レシチン；等を挙げることができる。
【００３４】
これらの界面活性剤は、１種を単独で用いてもよく、２種以上を混合して用いてもよい。界面活性剤の使用量は、特に限定されないが、通常、消臭剤組成物全重量に対して０．０１〜１０重量％の範囲である。
本発明のストーマ装具用消臭剤組成物において、界面活性剤は、消臭機能を有すると共に、精油と同様に排泄物等とストーマ装具のパウチ内表面との間で潤滑作用を発揮し、排泄物等のストーマ装具からの除去を容易にするものと考えられる。
【００３５】
本発明のストーマ装具用消臭剤組成物に添加し得る粉体の具体例としては、ポリ（メタ）アクリル酸アルキルエステル系共重合体パウダー等のアクリル系パウダー、ナイロンパウダー、フッ素コーティングパウダー、ウレタンパウダー、シリコーンパウダー、酸化亜鉛、酸化チタン、窒化ホウ素、シルクパウダー、セルロースパウダー、マイカ、セリサイト、カオリン、炭酸カルシウム、炭酸マグネシウム、珪酸アルミニウム、珪酸マグネシウム、シリカ、アルミナ、ベントナイト、スメクタイト等が挙げられる。
これらのうち、アクリル系パウダー、ナイロンパウダー、フッ素コーティングパウダー、ウレタンパウダー、シリコーンパウダー、酸化亜鉛、酸化チタン、窒化ホウ素等の非水溶性の粉体が排泄物等のべたつきを減じて、排泄物等の潤滑性が向上するため好ましい。
【００３６】
粉体の形状は、特に限定されず、球状、棒状、針状、板状、不定形状、燐片状、紡錘状等のいずれであってもよい。
粉体は、１種を単独で用いてもよく、２種以上を混合して用いてもよい。
粉体の使用量は、特に限定されないが、通常、消臭剤組成物全重量に対して５〜４０重量％の範囲である。
【００３７】
本発明のストーマ装具用消臭剤組成物は、そのｐＨが４．０〜７．０の範囲内にあることが好ましく、４．５〜６．５の範囲内にあることが更に好ましい。
ｐＨがこの範囲内にあると、消臭剤組成物が皮膚や粘膜に接触しても、これらに害を及ぼすことがない。
消臭剤組成物のｐＨを調整するには、ｐＨ調整剤を用いるのが好ましい。
ｐＨ調整剤としては、クエン酸、酒石酸、マレイン酸、コハク酸、リンゴ酸、乳酸、アスコルビン酸等の有機酸やその塩又はアルカリ金属水酸化物等を使用することができる。
【００３８】
本発明のストーマ装具用消臭剤組成物は、ポリフェノール以外の消臭性化合物を含有していてもよい。
ポリフェノール以外の消臭性化合物は、特に限定されず、化学的消臭性化合物や生物学的消臭性化合物等が使用できる。
化学的消臭性化合物は、有機系消臭性化合物であっても無機系消臭性化合物であってもよい。
【００３９】
有機酸化合物としては、カルボン酸、スルホン酸等の有機酸及びこれらの塩を用いることができる。その具体例としては、酢酸、シュウ酸、クエン酸、マロン酸、コハク酸、グルタル酸、フマル酸、リンゴ酸、酒石酸、マレイン酸、アクリル酸、乳酸、フタル酸、安息香酸、ニコチン酸等を挙げることができる。これらは、ベタイン化合物の形態であってもよい。
エステル化合物の具体例としては、有機酸のエステル化合物を用いることができる。その具体例としては、（メタ）アクリル酸エステル、マレイン酸エステル等を挙げることができる。
アルデヒド化合物の具体例としては、グリオキザール等を挙げることができる。
第４級アンモニウム塩の具体例としては、塩化ベンザルコニウム、塩化ベンゼトニウム、アルキルジアミノエチルグリシン塩酸塩等を挙げることができる。
【００４０】
無機系消臭性化合物としては、炭酸ナトリウム、炭酸水素ナトリウム、炭酸カルシウム等の炭酸塩；酸化カルシウム、酸化マグネシウム、酸化アルミニウム、酸化亜鉛、酸化銅、酸化鉄、酸化チタン、ミョウバン等の金属酸化物；二酸化塩素等が挙げられる。
【００４１】
生物学的消臭性化合物としては、酵素、微生物（細菌、酵母等）等の有機物分解作用を有するもの、及びエタノール、フェノキシエタノール、メチルパラベン、エチルパラベン、ブチルパラベン、プロピルパラベン等の防腐・殺菌作用を有する化合物が使用できる。
【００４２】
本発明のストーマ装具用消臭剤組成物の形態は、粉体状、粒状、ブロック状、液状、シート状、袋状、霧状、泡状、クリーム状等の形態から適宜選択できるが、粉体状、液状、シート状又は袋状であることが好ましく、粉体状であることが特に好ましい。
【００４３】
本発明のストーマ装具用消臭剤組成物の形態が粉体状であるとき、消臭剤組成物とストーマ装具のパウチ内表面との接触面積を小さくすることができ、これによって摩擦が低減されるので、排泄物等の滑り性を向上させることができる。
粉体状の消臭剤組成物は、粒径１５〜１，０００μｍの粉体を８０頻度％以上含有することが好ましく、粒径１５〜５００μｍの粉体を７０頻度％以上含むことが更に好ましく、粒径１５〜２５０μｍの粉体を７０頻度％以上含むことが特に好ましい。
【００４４】
粒径１５〜１，０００μｍの粉体の頻度分布が８０頻度％以上あるとき、消臭剤組成物をストーマ装具のパウチ内に投入し易く、また、投入された消臭剤組成物がパウチ内で拡散し、排泄物等の水分に対する溶解性が良好なものとなるので、即効性のある消臭効果を得ることができる。更に、この範囲の頻度分布により、消臭剤組成物とストーマ装具のパウチ内表面との接触面積を小さくすることができ、これによって摩擦が低減されるので、排泄物等の滑り性を向上させ、排泄物等排出操作に伴う不快感を軽減することができる。この粉体状の消臭剤組成物の平均粒径は、１５〜１，０００μｍであることが好ましく、平均粒径１５〜５００μｍであることが更に好ましい。
【００４５】
消臭剤組成物の粉体形状は、特に限定されないが、球状、棒状、針状、板状、不定形状、燐片状、紡錘状等のいずれであってもよい。粉体表面に、窪みや突起などの凹凸を多数設けると、粉体の表面積が増大され、更に、水に対する溶解性が高まるので、消臭効果をより高めることができる。
【００４６】
本発明のストーマ装具用消臭剤組成物が粉体状であるとき、フィルムへの付着率が１０〜８０％であることが好ましい。フィルムへの付着率は、１５〜８０％であることが好ましく、２０〜６０％であることが更に好ましい。
フィルムへの付着率がこの範囲にあると、消臭剤組成物をストーマ装具のパウチ内に投入したときに、パウチフィルムに広範囲にわたって消臭剤組成物が付着するので、パウチ内に流入する排泄物等と消臭剤組成物との接触機会が増え、消臭の即効性を高めることができる。付着率が１０％以下であると、排泄物等と消臭剤組成物との接触機会が十分でなく消臭効果が低下する恐れがある。また、パウチから排泄物等を取り出す際には、一般的にパウチの下部に設けられた排出口を開放して、そこから排泄物等を排出させるが、排出口を開放した瞬間に強い臭気が発生する。そのため、排出口が設けられたパウチ内の下部（底部）に適量の消臭剤組成物を存在させ、局所的に消臭効果を高めることが排出時の消臭においては有効であり、フィルムへの付着率を８０％以下、好ましく６０％以下にすることによって、パウチ内の下部（底部）に消臭に有効な量の消臭剤組成物を存在させることができる。
【００４７】
本発明のストーマ装具用消臭剤組成物において、ポリフェノール、精油及び親水性高分子化合物の含有量が、それぞれ、消臭剤組成物全重量の１〜５０重量％、０．１〜３０％及び５〜６０重量％であり、粒径１５〜１，０００μｍの粉体の含有量が８０頻度％以上であることが好ましく、粒径１５〜５００μｍの粉体の含有量が７０頻度％以上であることが更に好ましい。
【００４８】
更に、本発明のストーマ装具用消臭剤組成物は、ポリフェノール、精油及び親水性高分子化合物の含有量が、それぞれ、消臭剤組成物全重量の１〜５０重量％、０．１〜３０％及び５〜６０重量％であり、フィルムへの付着率が１０〜８０％であり、且つ、粒径１５〜１，０００μｍの粉体の含有量が８０頻度％以上であるか、粒径１５〜５００μｍの粉体の含有量が７０頻度％以上である、粉体状のストーマ装具用消臭剤組成物であることが特に好ましい。
【００４９】
粉体状消臭剤組成物の調製方法は、特に限定されず、蒸発濃縮、噴射乾燥、粉砕、押出造粒、撹拌混合造粒等の方法を用いることができ、消臭剤組成物の構成成分ごと、又は複数成分の混合物として粉体を製造することができる。
【００５０】
本発明のストーマ装具用消臭剤組成物は、溶液、乳濁液、分散液等の液状形態であってもよい。液状の消臭剤組成物は、水や油等などの溶媒に消臭剤組成物の各成分を溶解、乳濁又は懸濁させることによって調製することができる。
【００５１】
本発明のストーマ装具用消臭剤組成物は、シート状又は袋状の形態であってもよい。
シート状又は袋状の消臭剤組成物は、シート状又は袋状の支持体にポリフェノール等の消臭成分を付着するか又は練り込むことによって形成することができる。支持体は、親水性高分子化合物をインフレーション法、Ｔダイ法、カレンダー法、押し出し法、吹き込み法等のシート成形方法によって形成する方法、又は水解性の繊維から紙、不織布、編布、織布等を形成する方法によって得ることができる。
シート状又は袋状の消臭剤組成物において、シート又は袋が水解性であることが好ましい。ここで、水解性とは、水流又は多量の水と接触するとバラバラに崩壊する性質のことを指すが、水に溶けて均一溶液となる「水溶性」の性質も含む概念である。
消臭剤組成物を水解性のシート又は袋にすることで、排泄物等をシート又は袋全体で包み込み、1つの塊として取り扱うことができるので、排泄物等の取り出し作業が非常に簡便となり、しかも、取り出した排泄物等は消臭剤組成物ごと、そのままトイレに流すことができ、廃棄操作も容易である。
【００５２】
本発明のストーマ装具用消臭剤組成物は、ストーマ装具に適用するのに好適である。この消臭剤組成物は、使用の都度、必要量をストーマ装具のパウチ内に添加してもよく、また、予め複数回使用可能な量をパウチ内に添加しておいてもよい。消臭剤組成物は、パウチ内に挿入しやすい筒状の容器や袋に入れておくのが便利である。
また、本発明のストーマ装具用消臭剤組成物は、上記ストーマ装具用に限らず、おむつ、尿パッド、生理用ナプキン、医療用吸収パッド等の比較的長時間に亘って人体に装着されるその他の排泄物等処理用品用としても有効に使用することができる。
【００５３】
本発明のストーマ装具は、排泄物等を収容するための袋を備えたストーマ装具であって、パウチ内に本発明のストーマ装具用消臭剤組成物を収納してなる。
本発明のストーマ装具用消臭剤組成物を、ストーマ装具のパウチ内に収納しておくことにより、ストーマ装具を使用した後、排泄物等又はストーマ装具を廃棄処理等する際の不快臭を抑制することができる。
【００５４】
ストーマ装具のパウチ内に収納する消臭剤組成物は、使用の都度、必要量をパウチ内に添加してもよく、また、複数回使用可能な量の消臭剤組成物をパウチ内に収納しておいてもよい。収納する消臭剤組成物の量や形態は、装具を交換する頻度、排泄物等の性状等を目安に決めればよい。
【００５５】
本発明のストーマ装具用消臭剤組成物をストーマ装具のパウチ内に収納するには、単に消臭剤組成物をパウチ内に入れておくだけでもよいし、消臭剤組成物を接着、粘着、溶着等の固定手段によりパウチ内面に固定してもよい。
固定に際して、消臭剤組成物は、パウチ内面のほぼ全体を被覆するように固定してもよいが、少なくとも排泄物等導入孔の近傍（導入孔の周囲及び導入孔に対向する部分）、又は排泄物等排出口の近傍（排出口の周囲及び排出口の上部）を部分的に被覆するように固定することが好ましい。排泄物等導入孔や排泄物等排出口の近傍に消臭剤組成物を固定することにより、消臭剤組成物と排泄物等との接触の機会を増やし、消臭剤組成物が効果的に消費される。
消臭剤組成物の固定の方法は、特に限定されないが、消臭剤組成物を含む溶液、スラリー、エマルション又はディスパーション等を、ストーマ装具のパウチを構成するフィルムに塗工又は噴霧してパウチ内面に膜を形成する方法を例示することができる。
【００５６】
ストーマ装具の基本的な構成は、体表面のストーマの周囲に粘着固定する面板と、ストーマから排出される排泄物等を収容するパウチとから構成され、面板及びパウチには、排泄物等をパウチに受け入れるための孔が連通した状態で設けられる。ストーマ装具の種類としては、面板とパウチとが着脱可能になっているツーピースタイプ（二品型装具）のもの及び面板とパウチとが一体になっているワンピースタイプ（一品型装具）のもののどちらも利用できる。また、パウチは、パウチの下部に排泄物等の排出口を備えるドレインパウチ（下部開放型）であっても、そのような排出口を持たないクローズパウチ（下部閉鎖型）であってもよい。
【００５７】
ストーマ装具を構成する面板は、編布や不織布等の布帛、フィルム、発泡シート等からなる支持層の片面に、粘着層を設けた従来公知のものでよく、粘着層としては、水を吸着又は吸収する親水性物質を含有させた公知のハイドロコロイド粘着剤を使用することができる。
パウチの形状は、フィルムの外周縁をシールして形成される、略円形、楕円形等の従来からのものであってよい。パウチを構成するフィルム材料としては、ポリオレフィン、ポリオレフィン共重合体、ポリ塩化ビニル、ポリ塩化ビニリデン、ポリアミド、ポリエステル等の合成樹脂フィルムを挙げることができる。これらの材料は、単一で使用してもよく、二種類以上を混合して使用してもよい。フィルムは単層であっても、複数枚を積層させた複合フィルムであってもよい。
【実施例】
【００５８】
以下、本発明を実施例に基づいて更に詳細に説明する。なお、本実施例中、部及び％は、特に言及がない限り、重量基準である。
また、消臭剤組成物の特性評価は、以下に示す方法に従って実施した。
【００５９】
［ポリフェノール含有量］
次の手順により総ポリフェノール量を求め、これを消臭剤組成物中のポリフェノール含有量とする。
（１）消臭剤組成物の濃度が２ｍｇ／ｍｌ水溶液となるように、消臭剤組成物水溶液を調整する。
（２）試験管にサンプル水溶液１００μｌを入れ、蒸留水７．５ｍｌを加える。
（３）０．９Ｎフェノール試液３００μｌを加え、試験管ミキサーで撹拌する。
（４）２０％炭酸ナトリウム水溶液を１ｍｌを加え、更に蒸留水で１０ｍｌにメスアップし、試験管ミキサーで撹拌し、１時間静置する。
（５）分光光度計により７６５ｎｍの波長における吸光度を測定する。
（６）クロロゲン酸水溶液から作成した検量線（０、０．１、０．２、０．５、１．０、２．０ｍｇ／ｍｌの各濃度の７６５ｎｍの吸光度を測定（各点３回以上）して作成）を用いて定量し、下式により、クロロゲン酸換算ポリフェノール量を算出する。
ポリフェノール含量（％）
＝［｛クロロゲン酸量（ｍｇ／ｍｌ）｝／｛２（ｍｇ／ｍｌ）｝］×１００
【００６０】
［粉体状消臭剤組成物の粉体の頻度分布］
レーザー回析／散乱式粒度分布測定装置（堀場製作所社製、商品名「ＨＯＬＩＢＡ  ＬＡ−９１０」）を使用して求める。また、本装置を使用し、粉体状消臭剤組成物の平均粒径（単位：μｍ）を求める。
【００６１】
［ＤＰＰＨラジカル消去能］
ラジカル消去能の指標として、代表的な抗酸化物質であるα-トコフェロールの側鎖をはずした「Ｔｒｏｌｏｘ」を用い、１μｍｏｌのＴｒｏｌｏｘに相当するＤＰＰＨラジカル消去能を「１ＤＰＰＨ単位」として表し、消臭剤組成物の抗酸化能をＤＰＰＨ単位で評価する。値が高いほど、消臭性が良好となる。
（１）検量線の作成
（ｉ）ＤＰＰＨ（ＣＡＳ：１８９８−６６−４）の１ｍＭエタノール溶液を調整する。
（ｉｉ）Ｔｒｏｌｏｘ（ＣＡＳ：５３１８８−０７−１）６４．５ｍｇをエタノール溶液で１００ｍｌにメスアップする。
（ｉｉｉ）(ｉｉ)で調製した溶液を希釈して０．１、０．２、０．３、０．４（μｍｏｌ/４ｍｌ）の溶液をそれぞれ調製し、各濃度のＴｒｏｌｏｘ溶液を４ｍｌずつ試験管にとる。コントロールとして、Ｔｒｏｌｏｘ濃度０にあたるエタノール４ｍｌも試験管にとる。
（ｉｖ）ＤＰＰＨ溶液１ｍｌを各試験管に加え、試験管ミキサーで撹拌し、３０分間静置する。
（ｖ）分光光度計により５２０ｎｍの波長の吸光度を測定し、Ｔｒｏｌｏｘ濃度に対する吸光度の検量線を作成する。Ｔｒｏｌｏｘの量の数値は、そのまま「ＤＰＰＨ単位」として扱う。
【００６２】
（２）ＤＰＰＨラジカル消去能の評価
（ｉ）消臭剤組成物の濃度が０．５ｍｇ／ｍｌ溶液となるように、５０％エタノール溶液で調整する。
（ｉｉ）試験管に（ｉ）の溶液４ｍｌにＤＰＰＨ溶液１ｍｌを加えたものを採取し、試験管ミキサーで撹拌し、３０分間静置する。また、ブランクとして、（ｉ）の溶液４ｍｌにエタノール１ｍｌを加えたものを試験管に採取する。
(ｉｉｉ)分光光度計により５２０ｎｍの波長の吸光度を測定し、作成した検量線から消臭剤組成物のＤＰＰＨ単位を算出する。
【００６３】
［生理食塩水への溶解度］
２０℃、５ｍｌの生理食塩水（０．９％塩化ナトリウム水溶液）中に消臭剤組成物を加えて攪拌し、生理食塩水に溶解した消臭剤組成物量の割合を、下式により算出する。消臭剤組成物の溶解の判断は、消臭剤組成物を生理食塩水に徐々に加えていき、未溶解の消臭剤組成物残渣の有無を目視確認することにより行なう。
溶解度（％）＝（溶解した消臭剤組成物量／生理食塩水５ｇ）×１００
【００６４】
［生理食塩水への溶解後の粘度］
消臭剤組成物の濃度を、生理食塩水（０．９％塩化ナトリウム水溶液）で、０．２ｇ／ｍｌ溶液となるように調整し、ＢＨ型粘度計を用いて、次の条件で測定した値を粘度とする。測定条件：ローターＮｏ．２、回転数２０ｒｐｍ、回転時間１分、溶液温度２０℃（なお、粘度が低く、ローターＮｏ．２で測定できない場合は、ローターＮｏ．１を使用する）。
【００６５】
［生理食塩水への溶解後の拡散面積］
消臭剤組成物の濃度を、生理食塩水（０．９％塩化ナトリウム水溶液）で、０．２ｇ／ｍｌ溶液となるように調整し、この溶液２ｍｌを、プラスチックシャーレの表面５ｃｍ上から滴下する。シャーレ表面に広がった溶液の一定方向の最大長さと、その方向に直交する方向の最大長さとの積を求め、測定５回の平均値を拡散面積（ｃｍ２）とする。
【００６６】
［フィルムへの付着率］
１０ｃｍ×１０ｃｍの正方形にカットしたポリエチレンフィルム（タマポリ社製、品番Ｍ−００１、厚さ６０μｍ）の上に０．５ｇの消臭剤組成物を置き、約２５ｃｍ２に広げる（図１参照）。このフィルムの頂点の１つをピンセットで垂直に取り上げ、ピンセットの垂直状態の位置を基準に左右に約１５°ずつ、合計１０回軽く揺らし、余分な消臭剤組成物を落下させる（図２参照）。
その後、フィルムに付着した消臭剤組成物の重量を測定し、フィルムへの付着率を以下の式により算出し、測定５回の平均値をフィルムへの付着率（％）とする。これらの測定は、２０℃、相対湿度２０％の室内で行なう。
フィルムへの付着率（％）
＝｛（フィルムに付着した消臭剤組成物の重量ｇ）/０．５ｇ｝×１００
【００６７】
［メチルメルカプタン消臭率］
フラスコに消臭剤組成物を約１．５ｇ投入し、次いで、約５０ｇの人便を投入し密閉する。フラスコを、被服内環境を想定した３２℃恒温槽中に静置する。３０分後に、ガス検知管によりメチルメルカプタン濃度を測定し、次式により消臭率（％）を算出する。
消臭率（％）
＝１００−（消臭剤組成物添加３０分後のガス濃度／消臭剤組成物添加前のガス濃度）×１００
【００６８】
［消臭性官能評価］
ストーマ装具のパウチに消臭剤組成物を約１．５ｇ投入し、次いで、約５０ｇの人便を投入する。ストーマ装具のパウチの排泄物排出口をクリップ（排出口留め具）で封止し、被服内環境を想定した３２℃恒温槽中に静置する。３時間後に、人便をパウチから取り出した時に感じる臭気を、６段階臭気強度表示法及び９段階快・不快表示法に示す基準により、それぞれ、評価する。
この評価を３人の評価者が行い、その平均点数を求める。
６段階臭気強度表示法による評価では、平均点数が小さいほど、９段階快・不快表示法による評価では、平均点数が大きいほど、消臭性が優れている。
【００６９】
（臭気強度表示法による臭気評価）
点数：評価基準
０：無臭
１：やっと感知できるにおい（検知閾値濃度）
２：何のにおいであるかが分かる弱いにおい（認知閾値濃度）
３：らくに感知できるにおい（簡単に感知できるにおい）
４：強いにおい
５：強烈なにおい
【００７０】
（快・不快表示法による臭気評価）
点数：評価基準
−４：極端に不快
−３：非常に不快
−２：不快
−１：やや不快
０：快でも不快でもない
＋１：やや快
＋２：快
＋３：非常に快
＋４：極端に快
【００７１】
［排泄物等排出所要時間］
ストーマ装具のパウチに消臭剤組成物を約１．５ｇ投入し、次いで、約５０ｇの人便を投入する。パウチの排泄物排出口をクリップ（排出口留め具）で封止し、被服内環境を想定した３２℃恒温槽中に静置する。３時間後に、クリップを取り外し、パウチの排出口を開放する。パウチから人便が自然落下するのに要する時間を測定する。
【００７２】
［ｐＨ］
ＪＩＳ  Ｚ８８０２に準拠して、校正したｐＨ計電極を洗浄後、消臭剤組成物のｐＨを３回測定して平均値を求める。
なお、消臭剤組成物が粉体又は固体である場合は、２０％水溶液として、そのｐＨを測定する。
【００７３】
（実施例１）
ペパーミント油、アラビアガム、デキストリン及び水からなる混合物を熱風中に噴霧し、水分を蒸散させて粉体を得た。この粉体は、ペパーミント油がアラビアガムとデキストリンによりマイクロカプセル化されたものである。
この粉体に、コーヒー豆粉砕物の水抽出物を噴射乾燥して得たポリフェノール含有粉体を混合し、表１に示す組成の粉体状の本発明のストーマ装具用消臭剤組成物を得た。
この消臭剤組成物について、その特性を評価した。結果を表１に示す。
【００７４】
（実施例２〜３）
消臭剤組成物の組成を表１に示すように変える以外は実施例１と同様の方法で粉体状の消臭剤組成物を得た。この消臭剤組成物について、その特性を評価した。結果を表１に示す。
【００７５】
（実施例４〜６）
ポリフェノール含有粉体を、りんご、ぶどう及び緑茶からの水抽出物にそれぞれ変える以外は、実施例１と同様の方法で粉体状の消臭剤組成物を得た。この消臭剤組成物について、その特性を評価した。結果を表１に示す。
【００７６】
【表１】
0005176061.tif 000002
【００７７】
【表２】
0005176061.tif 000003
【００７８】
（実施例７）
実施例１と同様の方法で得た粉体状の消臭剤組成物に、精製水を加え均一に混合して、表２に示す組成の液状の消臭剤組成物を得た。
この消臭剤組成物について、その特性を評価した。結果を表２に示す。
【００７９】
（実施例８〜９）
実施例１と同様の方法で得た粉体状の消臭剤組成物、精製水、プルラン及びパルプを均一に混合し、得られた混合物を剥離シート上に塗工乾燥して、表２に示す組成のシート状の消臭剤組成物を得た（実施例８）。また、同様に、表２に示す組成を有する、実施例８と同様の方法で得たシート状の消臭剤組成物の外周縁を接合し、袋状の消臭剤組成物を得た（実施例９）。
これらの消臭剤組成物について、その特性を評価した。結果を表２に示す。
【００８０】
（比較例１）
ポリエチレングリコール、ゼオライト及びトウモロコシデンプンの混合物からなる粉体状の消臭剤組成物を調製した。
この消臭剤組成物について、その特性を評価した。結果を表２に示す。
【００８１】
（比較例２）
木炭と、カオリナイトから焼成されたセラミックスとを、混合した粉体状の消臭剤組成物を調製した。
この消臭剤組成物について、その特性を評価した。結果を表２に示す。
【００８２】
表１及び表２に示す結果から、ポリフェノールを含有しない消臭剤組成物を用いた場合は、消臭効果は殆ど認められなかった（比較例１及び２）。
これに対して、ポリフェノールを含有し、生理食塩水への溶解度が３０％以上、生理食塩水への溶解後の粘度が７００ｍＰａ・ｓ以下、生理食塩水への溶解後の拡散面積が７．０ｃｍ２以上である本発明のストーマ装具用消臭剤組成物を用いた場合は、優れた消臭効果が得られることが分かる（各実施例）。
これは、本発明のストーマ装具用消臭剤組成物が、比較例で用いた消臭剤組成物に比べてパウチ壁面に広範囲にわたって付着し、更に排泄物の水分に対しても溶解し易く、流動性も高いため、消臭の有効成分を排泄物の多くの部分に作用させることができたためと考えられる。
また、本発明のストーマ装具用消臭剤組成物を用いた場合、排泄物の滑り性も向上しており、排泄物等排出所要時間も少なかった。これは、排泄物中の水分を吸収した消臭剤組成物が速やかに溶解してパウチ内に拡散し、排泄物中の水分を吸収した消臭剤組成物が流動性のある粘度を有していたためと考えられる。
【図面の簡単な説明】
【００８３】
【図１】消臭剤組成物のフィルムへの付着率の測定方法を示す図
【図２】消臭剤組成物のフィルムへの付着率の測定方法を示す図
【符号の説明】
【００８４】
１  フィルム
２  消臭剤組成物
３  ピンセット
【図１】
0005176061.tif 000004
【図２】
0005176061.tif 000005